(57)【要約】【課題】  操作部材の操作内容などを示す表示を印刷した印刷フィルムを設けた操作パネルにおいて、その印刷フィルムが薄いために、厚さ感がなく、高級感が出ないという問題を解消する。【解決手段】  パネル主体１６の表面に印刷フィルム１７を装着し、その印刷フィルム１７の上に透明または半透明の加飾シート１８を装着する。加飾シート１８は厚く、また表面にしぼ模様Ｓ２を設けることができるので、加飾シート１８によって厚み感、高級感を出すことができる。【選択図】  図１
2007038800.tif 000002
【特許請求の範囲】
【請求項１】
操作部を配設する配設部を有したプラスチック製のパネル主体と、
このパネル主体の表面に重ねて設けられ、印刷が施された印刷フィルムと、
この印刷フィルム上に重ねて設けられた透明または半透明の加飾シートと、
を具備してなる操作パネル。
【発明の詳細な説明】
【技術分野】
【０００１】
本発明は操作パネルに係り、特に装飾性の向上を図ったものに関する。
【背景技術】
【０００２】
例えば、車両用の空調用操作パネルにあっては、温度設定用ダイヤル、ファンの風量を切替えるブロアスイッチ、空調風の吹き出し方向を選択するためのモード選択スイッチといった種々の操作部材が設けられている（特許文献１参照）。そして、操作パネルの表面には、温度設定用スイッチの温度目盛やブロアスイッチの風量目盛などの印刷、或いは意匠用の色印刷などを施した印刷フィルムを貼り付けるようにしている。
【特許文献１】特開２００３−１２２９４４号公報
【発明の開示】
【発明が解決しようとする課題】
【０００３】
操作パネルは樹脂製で、その表面にしぼ模様を付けたりして装飾性を高めたりしているが、しかし、上記の印刷フィルムを設けた部分は、その印刷フィルムが０．３ｍｍ程度と薄いので、つや消しする程度で、その表面にしぼ模様を設けることはできなかい。また、薄い印刷フィルムであるため、厚み感がでず、総じて高級感の乏しいものになり勝ちであった。
【０００４】
本発明は上記の事情に鑑みてなされたもので、その目的は、印刷フィルムを設けた部分があっても、装飾性を向上させたり、厚みのある形態を持たせたりすることができる操作パネルを提供することにある。
【課題を解決するための手段】
【０００５】
上記の目的を達成するために本発明は、操作部を配設する配設部を有したプラスチック製のパネル主体と、このパネル主体の表面に重ねて設けられ、印刷が施された印刷フィルムと、この印刷フィルム上に重ねて設けられた透明または半透明の加飾シートとを具備してなる構造を採用したものである。
【発明の効果】
【０００６】
印刷フィルム上に透明または半透明の加飾シートが設けられているので、この加飾シートにしぼ模様を設けたりすることによって装飾性を高めることができ、また、その加飾シートによって厚さ感を出すことができる。
【発明を実施するための最良の形態】
【０００７】
以下、本発明の一実施例を車両の空調用操作パネルに適用して図面に基づいて説明する。図４は空調用操作パネル１の正面図であり、同図において、空調用操作パネル（以下、単に操作パネルという。）１には、ブロアスイッチ２、温度設定用ボリューム（抵抗器）３、複数のモードスイッチ４〜８、自動運転スイッチ９、内外気切替スイッチ１０，１１が設けられていると共に、車内温度を検出するための温度センサー１２が設けられている。
【０００８】
上記のブロアスイッチ２は、ファンの風量を切替えるもので、空調装置のオンオフスイッチを兼用している。温度設定用ボリューム３は、車内の空調温度を設定するためのものである。これらブロアスイッチ２および温度設定用ボリューム３は、共に回転操作式のものである。モードスイッチ４〜８は、空調風の吹き出し方向を切替えるためのもの、自動運転スイッチ９は、車内が設定温度になるまでファンの強弱運転を自動で行うためのもの、内外気切替スイッチ１０，１１は、車内への外気の取り入れと車内空気の循環とを切替えるためのもので、これらスイッチ４〜１１は、いずれも押釦式のものとして構成されている。
【０００９】
この操作パネル１は、自動車のダッシュボードの中央（運転席と助手席との間）に設けられた空調装置の電気部品装着用基板（図示せ図）を覆うようにして取り付けられる。このように操作パネル１が運転席から見易く且つ操作し易い位置に配設される関係上、操作パネル１には、更に、スライドアの自動開閉用スイッチ１３、ハザードランプを動作させるためのハザードスイッチ１４、シートベルト装着表示ランプ１５が設けられている。これら各スイッチ１３，１４は、押釦式として構成されている。
【００１０】
さて、操作パネル１は、図３に示すように、プラスチック製のパネル主体１６と、例えばポリカーボネートフィルムからなる印刷フィルム１７と、ポリウレタンなどからなる加飾シート１８とから構成されている。ここで、上述したブロアスイッチ２、温度設定用ボリューム３、各種スイッチ４〜１１，１３，１４は、抵抗要素やスイッチ要素などの操作対象素子と、この操作対象要素を操作するダイヤルや押釦などの操作部を含む概念で、操作パネル１には、その操作部が配設される。
【００１１】
パネル主体１６には、上記ブロアスイッチ２、温度設定用ボリューム３、各種スイッチ４〜１１，１３，１４の操作部やベルト装着用表示ランプ１５を配設するための配設部としての孔１９ａ〜１９ｈが形成されている。なお、１９ｉは温度センサー１２に車内空気を取り入れるためのスリット（孔）である。パネル主体１６の上下方向の中央部分にはハザードスイッチ１４、ブロアスイッチ２、温度設定用ボリューム３、温度センサー１２が左右方向に並べて配設されている。その上側の部分には、ベルト装着表示ランプ１５、内外気切替スイッチ１０，１１が左右方向に並べて配設されていると共に、下側の部分には、モードスイッチ４〜８、自動運転スイッチ９が左右方向に並べて配設されている。
【００１２】
パネル主体１６の表面には、上記のハザードスイッチ１４、ブロアスイッチ２、温度設定用ボリューム３、温度センサー１２が配設された上下方向中央部分の領域を除いて図１，２，３に示すようなしぼ模様Ｓ１が形成されている。そして、そのしぼ模様Ｓ１の形成から除かれた上下方向中央部分に、前記印刷フィルム１７と加飾シート１８が装着されている。
【００１３】
印刷フィルム１７には、装飾のための色印刷、ブロアスイッチ２による空調装置のオンオフ、ファンの強弱を示すための表示の印刷が施されている。また、加飾シート１８の表面には、しぼ模様Ｓ２が施されている。なお、パネル主体１６および加飾シート１８のしぼ模様Ｓ１，Ｓ２は、その型成形時に形成されたものである。また、印刷フィルム１７は、予め加飾シート１８の裏側に接着などによって固着一体化されており、印刷フィルム１７を接着などによってパネル主体１６に固着することによって印刷フィルム１７がパネル主体１６の表面に重ねて装着されると同時に、透明シート１８が印刷フィルム１７上に重ねて装着された状態となる。
【００１４】
パネル主体１６には、図２に示すように、印刷フィルム１７および加飾シート１８が装着された部分に位置して小孔２０が形成されている。また、パネル主体１６の裏側には、発光素子としての発光ダイオード２１が設けられている。そして、パネル主体１６には、小孔２０と発光ダイオード２１との間に位置してライトガイド２２が配設されている。上記発光ダイオード２１が夜間に点灯されると、その発光ダイオード２１の光がライトガイド２２によって小孔２０から印刷フィルム１７を照射するように導かれる。
【００１５】
印刷フィルム１７に照射された発光ダイオード２１の光は、印刷フィルム１７を透過して加飾シート１８に入り、そして、加飾シート１８の中を通って加飾シート１８のほぼ全体に行きわたり、加飾シート１８の表面全体から出射するようになる。このため、夜間でも印刷フィルム１７に印刷された表示を見ることができる。
【００１６】
このように本実施例によれば、印刷フィルム１７の上に、厚さのある加飾シート１８が装着されているので、加飾シート１８によって厚み感が生じる。また、加飾シート１８の表面にしぼ模様Ｓ２が形成されているので、このしぼ模様Ｓ２によって装飾性を高めることができると共に、高級感も出てくる。
【００１７】
なお、本発明は上記し且つ図面に示す実施例に限定されるものではなく、以下のような変更或いは拡張が可能である。
印刷フィルム１７に施す印刷は、操作内容を示すための表示を印刷しただけのものであっても良い。
加飾シート１８は、透明のものに限られず、半透明のものであっても良い。
加飾シート１８の表面のしぼは、必ずしも設けなくとも良く、加飾シート１８の厚みによる高級感を引き出すものであっても良い。
本発明は車両の空調用操作パネルに限らず、車両の他の装置の操作パネルは勿論、家庭で使用される機器の操作パネルなど、操作パネル一般に広く適用することができる。
【図面の簡単な説明】
【００１８】
【図１】本発明の一実施例を示す操作パネルの部分的な断面図
【図２】図１とは別の部分を示す操作パネルの部分的な断面図
【図３】操作パネルの断面図
【図４】操作パネルの正面図
【符号の説明】
【００１９】
図面中、１は空調用操作パネル、２はブロアスイッチ（操作部）、３は温度設定用ボリューム（操作部）、４〜８はモードスイッチ（操作部）、９は自動運転スイッチ（操作部）、１０，１１は内外気切替スイッチ（操作部）、１３はドアスイッチ（操作部）、１４はハザードスイッチ（操作部）、１６はパネル主体、１７は印刷フィルム、１８は加飾シート、１９ａ〜１９ｈは孔（配設部）、２１は発光ダイオード、２２はライトガイドである。
【図１】
2007038800.tif 000003
【図２】
2007038800.tif 000004
【図３】
2007038800.tif 000005
【図４】
2007038800.tif 000006